(57)【要約】【課題】従来の消しゴムには、消しゴム本体を被覆し、その使用による汚れを防ぐものがある。しかしこのパイプは、一定長さに作られた伸縮性の無い紙製であって、消しゴム本体の摩耗に合わせて、その紙製パイプを適宜切断し、短くしていた。【解決手段】消しゴム本体と、この本体を収納すると共に外部から露見可能で、且つ蛇腹部を有し、而も消しゴム本体を端部の開口から突出可能な紙またはプラスチック製のパイプとよりなして、蛇腹の伸縮調節により、使用中は最適な消しゴム本体突出状態を実現できる消しゴム。【選択図】  図１
2007136763.tif 000002
【特許請求の範囲】
【請求項１】
消しゴム本体と、この本体を収納すると共に、
外部から露見可能な蛇腹部を有し、かつ消しゴム本体を端部の開口から突出可能な紙またはプラスチック製の伸縮性パイプとよりなることを特徴とした消しゴム。            
【請求項２】
伸縮性パイプの一端を、消しゴム本体が突出する開口とし、他端を閉塞部としたことを特徴とした請求項１記載の消しゴム。    
【請求項３】
伸縮パイプを断面丸形としたことを特徴とした請求項１〜２記載の消しゴム。
【請求項４】
伸縮パイプを断面多角形としたことを特徴とし請求項１〜２記載の消しゴム。
【請求項５】
伸縮パイプを可透性としたことを特徴とした請求項１〜４記載の消しゴム。
【請求項６】
パイプを非透明とし、長手方向に向かって適宜消しゴム本体の露見孔を複数個設けたことを特徴とした請求項１〜４記載の消しゴム。
【請求項７】
伸縮性パイプの両端を蛇腹部の外径より大きい外形の突出状のツマミとしたことを特徴とした請求項１〜６記載の消しゴム。
【発明の詳細な説明】
【技術分野】
【０００１】
本発明は、紙又はプラスチック製の外側被覆パイプに収納した消しゴムに関する。
【背景技術】
【０００２】
従来の消しゴムには、消しゴム本体を被覆し、その使用による汚れを防ぐものがある。しかしこのパイプは、一定長さに作られた伸縮性の無い紙製であって、消しゴム本体の摩耗に合わせて、その紙製パイプを適宜切断し、短くしていた。
【発明の開示】
【発明が解決しようとする課題】
【０００３】
しかしながら、これでは消しゴムの摩耗に伴って紙の長さを切断する際のシビアな感覚と操作が必要とされる。すなわち短く切り過ぎれば消しゴム本体が出て、保管中に汚れる。
【課題を解決するための手段】
【０００４】
その為、技術文献１に示すごとく、パイプ状部分を切り取って使う考案等が工夫されてきた。
【０００５】
【特許文献１】公開実用新案公報 昭６０−１５２４９４
【発明の効果】
【０００６】
（１）請求項１により、紙の場合は一度切れば戻せないが、本発明においてはパイプを蛇腹状としたから伸縮することができ、常に消しゴム本体を覆うこととなって、消しゴム本体が汚れない。
また、一定長さまでは切断しなくてよく、蛇腹の伸縮調節により、使用中は最適な消しゴム本体突出状態を実現できる。
【０００７】
（２）請求項２により、一端が完全に閉塞しているから、消しゴム本体の片側はいくら押し込んでもハミ出ない。
【０００８】
（３）請求項５により、パイプを半透にすることで、消しゴム本体の被覆されている部分が明瞭となり、また消しゴム本体に商品名，製造会社名等の広告を直接印刷することもできる。
【０００９】
（４）請求項６により、伸縮性パイプの蛇腹部に露見孔を設けたから、その伸縮性パイプを非透明としても支障なく使用できる。  
【００１０】
（５）請求項７により突出状のツマミにより伸縮が容易となる。
【発明を実施するための最良の形態】
【００１１】
以下本発明の実施の形態を示す図面に基づいて説明する。図１に示すごとく、消しゴム本体１を紙またはプラスチックにて作られた蛇腹部３のパイプ２に収納している。具体的には、蛇腹状パイプ２の内孔２ａに収納しており、図１，２，３は丸形としており、図４は三角形とし、これらは任意でよい。また蛇腹状パイプ２は、透明性のものとしており内孔４の消しゴム本体を露見できる。而して図２は、蛇腹状パイプ２を縮めた状態を示し、内部の消しゴム本体１が左右の開口端６より突出している。勿論、この開口端６は図３に示すごとく一方のみで、かつ他方を閉塞端６ａとしてもよい。
図４は他の実施例を示し、伸縮性パイプを断面三角形としている。
勿論四角形，六角形でもよい。更にこの伸縮性パイプは非透明とし露見孔８を設けている。
【図面の簡単な説明】
【００１２】
【図１】消しゴムの一部断面図
【図２】同上の使用状態図
【図３】異なる実施例を示す一部断面図
【図４】他の異なる実施例を示す斜視図
【符号の説明】
【００１３】
１  消しゴム本体
２  伸縮性パイプ
３  蛇腹部
４  内孔
５  消しゴム本体突出開口部
６  閉塞部
７  突出状のツマミ
８  消しゴム本体の露見孔
Ｒ  蛇腹部の外径
Ｓ  蛇腹部の内径
【図１】
2007136763.tif 000003
【図２】
2007136763.tif 000004
【図３】
2007136763.tif 000005
【図４】
2007136763.tif 000006
【手続補正書】
【提出日】平成17年11月30日(2005.11.30)
【手続補正１】
【補正対象書類名】特許請求の範囲
【補正対象項目名】全文
【補正方法】変更
【補正の内容】
【特許請求の範囲】
【請求項１】
消しゴム本体と、この本体を収納すると共に外部から露見可能で、且つ蛇腹部を有し、而も消しゴム本体を端部の開口から突出可能な紙またはプラスチック製の伸縮性パイプとよりなることを特徴とした消しゴム。            
【請求項２】
伸縮性パイプの一端を、消しゴム本体が突出する開口とし、他端を閉塞部としたことを特徴とした請求項１記載の消しゴム。    
【請求項３】
伸縮パイプを断面丸形としたことを特徴とした請求項１〜２記載の消しゴム。
【請求項４】
伸縮パイプを断面多角形としたことを特徴とした請求項１〜２記載の消しゴム。
【請求項５】
伸縮パイプを可透性としたことを特徴とした請求項１〜４記載の消しゴム。
【請求項６】
パイプを非透明とし、長手方向に向かって適宜消しゴム本体の露見孔を複数個設けたことを特徴とした請求項１〜４記載の消しゴム。
【請求項７】
伸縮性パイプの両端を蛇腹部の外径より大きい外径の突出状のツマミとしたことを特徴とした請求項１〜６記載の消しゴム。
【手続補正２】
【補正対象書類名】明細書
【補正対象項目名】全文
【補正方法】変更
【補正の内容】
【発明の詳細な説明】
【技術分野】
【０００１】
本発明は、紙又はプラスチック製の外側被覆パイプに収納した消しゴムに関する。
【背景技術】
【０００２】
従来の消しゴムには、消しゴム本体を被覆し、その使用による汚れを防ぐものがある。しかしこのパイプは、一定長さに作られた伸縮性の無い紙製であって、消しゴム本体の摩耗に合わせて、その紙製パイプを適宜切断し、短くしていた。
【０００３】
しかしながら、これでは消しゴムの摩耗に伴って紙の長さを切断する際のシビアな感覚と操作が必要とされる。すなわち短く切り過ぎれば消しゴム本体が出て、保管中に汚れる。
【０００４】
その為、特許文献１に示すごとく、パイプ状部分を切り取って使う考案等が工夫されてきた。
【０００５】
【特許文献１】公開実用新案公報 昭６０−１５２４９４
【発明の開示】
【発明が解決しようとする課題】
【０００６】
本発明は、伸縮性パイプで消しゴム本体を被覆することで、従来の伸縮性のないパイプの様に切らずに、一定長さまで消しゴムを使用できることで上記課題を解決する。
【課題を解決するための手段】
【０００７】
消しゴム本体と、この本体を収納すると共に外部から露見可能で、且つ蛇腹部を有し、而も消しゴム本体を端部の開口から突出可能な紙またはプラスチック製のパイプとよりなして、蛇腹の伸縮調節により、使用中は最適な消しゴム本体突出状態を実現できる消しゴム。
【発明の効果】
【０００８】
（１）請求項１により、紙の場合は一度切れば戻せないが、本発明においてはパイプを蛇腹状としたから伸縮することができ、常に消しゴム本体を覆うこととなって、消しゴム本体が汚れない。また、一定長さまでは切断しなくてよく、蛇腹の伸縮調節により、使用中は最適な消しゴム本体突出状態を実現できる。
【０００９】
（２）請求項２により、一端が完全に閉塞しているから、消しゴム本体の片側はいくら押し込んでもハミ出ない。
【００１０】
（３）請求項５により、パイプを可透性とすることで、消しゴム本体の被覆されている部分が明瞭となり、また消しゴム本体に商品名，製造会社名等の広告を直接表示することもできる。
【００１１】
（４）請求項６により、伸縮性パイプの蛇腹部に露見孔を設けたから、その伸縮性パイプを非透明としても支障なく使用できる。  
【００１２】
（５）請求項７により突出状のツマミを設けたから、伸縮調節が容易となる。
【発明を実施するための最良の形態】
【００１３】
以下本発明の実施の形態を示す図面に基づいて説明する。図１に示すごとく、消しゴム本体１を紙またはプラスチックにて作られた伸縮性パイプ２に収納している。この伸縮性としては蛇腹部３を形成し、その内孔４に消しゴム本体１を収納している。図１，２，３は丸形としており、図４は三角形としているが、勿論この形状は四角形，六角形でもよい。また伸縮性パイプ２は、可透性のものとしており内孔４の消しゴム本体１を露見できる。而して図２は、伸縮性パイプ２を縮めた状態を示し、内部の消しゴム本体１が左右の開口部５より突出している。勿論、この開口部５は図３に示すごとく一方のみで、かつ他方端６を閉塞部６ａとしてもよい。更に図２に示すごとく、伸縮性パイプ２の両端を蛇腹部の外径Sより大きい外径Ｒとして突出させ、ツマミ７としている。また図４は、伸縮性パイプ２を非透明とし、長手方向に向かって適宜消しゴム本体１の露見孔８を設けている。
【図面の簡単な説明】
【００１４】
【図１】消しゴムの一部断面図
【図２】同上の使用状態図
【図３】異なる実施例を示す一部断面図
【図４】他の異なる実施例を示す斜視図
【符号の説明】
【００１５】
１  消しゴム本体
２  伸縮性パイプ
３  蛇腹部
４  内孔
５  消しゴム本体突出開口部
６  他方端
７  突出状のツマミ
８  消しゴム本体の露見孔
Ｒ  突出部の外径
Ｓ  蛇腹部の外径
【手続補正書】
【提出日】平成18年2月23日(2006.2.23)
【手続補正１】
【補正対象書類名】特許請求の範囲
【補正対象項目名】請求項１
【補正方法】変更
【補正の内容】
【請求項１】
消しゴム本体と、この本体を収納すると共に外部から露見可能で、且つ蛇腹部を有し、而も消しゴム本体を端部の開口から突出可能な紙またはプラスチック製の伸縮性パイプとよりなり、而も前記蛇腹部をパイプの全長に亘って形成したことを特徴とした消しゴム。